(57)【要約】      （修正有）【課題】折り畳み式物干しスタンドの固定装置を提供する。【解決手段】折り畳み式物干しスタンドの固定装置はベース１０、物干し竿１１、スタンドフレーム棒１２、ヒンジ１３、移動ロックレバー１４を有し、ベース１０は第一空間１６を有し、第一空間１６上方には物干し竿１１を収容し、スタンドフレーム棒１２はヒンジ１３により枢動するようにベース１０に設置され、スタンドフレーム棒１２は第一空間１６内で枢動し、ベース１０は第二空間１８を有し、移動ロックレバー１４は第二空間１８を横に跨いで設置され、第二空間内１８で移動調整され、スタンドフレーム棒１２は物干し竿１１に相対して展開或いは折り畳まれ、折り畳み式物干しスタンドを構成する。【選択図】図３
0003227576.tif 000002
【実用新案登録請求の範囲】
【請求項１】
折り畳み式物干しスタンドの固定装置であって、ベース、物干し竿、スタンドフレーム棒、係止板及び移動ロックレバーを有し、
前記ベースは、第一空間、及び相互に連通する第二空間を有し、前記ベースはヒンジを有し、前記第一空間に通して設置し、
前記物干し竿は、前記第一空間に通して設置し、前記ベースの頂端に位置し、
前記スタンドフレーム棒は、前記ヒンジにより前記ベースに枢動するように設置され、前記第一空間内で枢動でき、しかも前記第二空間は、槽状で、第一位置及び第二位置を備え、前記第一位置の高さは前記ヒンジより低く、前記第二位置の高さは前記ヒンジより高く、
前記係止板は、前記ベース側辺の最下端に固定して設置され、前記係止板の位置は前記ヒンジの位置より低く、前記係止板は、前記スタンドフレーム棒の枢動展開の角度を制限でき、
前記移動ロックレバーは前記第二空間を横に跨いで設置され、しかも前記第一位置と前記第二位置の間で調整移動し、
前記スタンドフレーム棒が展開すると、前記移動ロックレバーは前記第一位置まで移動し、これにより前記係止板と係合し、前記スタンドフレーム棒は固定されて不動となり、
前記移動ロックレバーが前記第二位置まで調整されると、前記スタンドフレーム棒を折り畳むことができることを特徴とする、
折り畳み式物干しスタンドの固定装置。
【請求項２】
前記ベース、前記係止板、前記ヒンジ及び前記移動ロックレバーの材質は、金属材質或いは非金属材質であることを特徴とする請求項１に記載の折り畳み式物干しスタンドの固定装置。
【請求項３】
前記第二空間は、略逆Ｌ型を呈することを特徴とする請求項１に記載の折り畳み式物干しスタンドの固定装置。
【請求項４】
前記ベースは、相互に対称形状の２枚のパネルにより構成され、或いは連接して断面Ｕ型に構成されることを特徴とする請求項１に記載の折り畳み式物干しスタンドの固定装置。
【請求項５】
前記移動ロックレバーの断面は円形であることを特徴とする請求項１に記載の折り畳み式物干しスタンドの固定装置。
【考案の詳細な説明】
【技術分野】
【０００１】
本考案は折り畳み式物干しスタンドの固定装置に関し、特に移動ロックレバーの位置を手で変えることで、スタンドフレーム棒を展開して固定し、或いは折り畳みでき、操作が便利で、収納空間を節減できる折り畳み式物干しスタンドの固定装置に関する。
【背景技術】
【０００２】
従来の物干しスタンドの多くは、物干し竿とスタンドフレーム棒を固定して連結するため、枢動して折り畳むことができず、また運搬が不便で、片付けに広いスペースを必要とする。
【０００３】
図１に示す通り、従来の物干しスタンド構造は、折り畳みの装置を備え、ベース１０ａ、物干し竿１１ａ、スタンドフレーム棒１２ａ、ヒンジ１３ａ、重力ロック１４ａ、係止板１５ａを有する。
重力ロック１４ａ及び係止板１５ａを設置する位置は、ヒンジ１３ａの上方であるため、スタンドフレーム棒１２ａを物干し竿１１ａに相対して展開させると、重力ロック１４ａは自動的に落下しスタンドフレーム棒１２ａを固定する。
しかし、スタンドフレーム棒１２ａを折り畳む際には、重力ロック１４ａを移動させにくく、さらには物干しスタンド全体を逆さまにしなければ、重力ロック１４ａを落下させ、スタンドフレーム棒１２ａを枢動させにくい。
そのため、従来の物干しスタンドは使用において不便である。
【考案の概要】
【考案が解決しようとする課題】
【０００４】
前記先行技術でスタンドフレーム棒を折り畳む際には、重力ロックを移動させにくく、さらには物干しスタンド全体を逆さまにしなければ、重力ロックを落下させ、スタンドフレーム棒を枢動させにくいため、従来の物干しスタンドは使用において不便である欠点がある。
【課題を解決するための手段】
【０００５】
本考案は、ベースに相対して移動ロックレバーを手動で位置調整でき、これによりスタンドフレーム棒を展開固定或いは折り畳める折り畳み式物干しスタンドの固定装置に関する。
【０００６】
本考案による折り畳み式物干しスタンドの固定装置は、ベース、物干し竿、スタンドフレーム棒、係止板及び移動ロックレバーを有する。
該ベースは、第一空間、及び相互に連通する第二空間を有する。ベースは、ヒンジを有し、第一空間を貫通して設置し、該物干し竿は、第一空間を貫通して設置し、ベースの頂端に位置する。
該スタンドフレーム棒は、ヒンジによりベースに枢動するように設置され、第一空間内で枢動でき、しかも第二空間は、槽状で、第一位置及び第二位置を備え、第一位置の高さはヒンジより低く、第二位置の高さはヒンジより高い。
該係止板は、ベース側辺の最下端に固定して設置され、係止板の位置は、ヒンジの位置より低く、係止板は、スタンドフレーム棒の枢動展開の角度を制限できる。
該移動ロックレバーは、第二空間を横に跨いで設置され、しかも、第一位置と第二位置の間で調整移動でき、スタンドフレーム棒の展開時、移動ロックレバーは第一位置まで移動し、係止板はスタンドフレーム棒と係合して固定し不動とし、移動ロックレバーを第二位置まで調整すると、スタンドフレーム棒を折り畳める。
【０００７】
本考案の別種の実施形態中では、ベース、係止板、ヒンジ及び移動ロックレバーの材質は、金属材質或いは非金属材質である。
【０００８】
本考案の別種の実施形態中では、第二空間は、概ね逆Ｌ型を呈する。
【０００９】
本考案の別種の実施形態中では、ベースは、相互に対称形状の２枚のパネルにより構成され、或いは連接してＵ型を呈して構成される。
【００１０】
本考案の別種の実施形態中では、移動ロックレバーの断面は円形である。
【００１１】
上記の通り、本考案は移動ロックレバーを手動で第一位置或いは第二位置へと調整でき、第一位置では、スタンドフレーム棒を固定して不動とでき、第二位置では、スタンドフレーム棒は物干し竿に相対して折り畳まれ、使用の利便性を達成することができる。
【図面の簡単な説明】
【００１２】
【図１】従来の物干しスタンドの構造模式図である。
【図２】本考案の組み立て外観模式図である。
【図３】本考案の構造分解模式図である。
【図４】本考案の別の視角からの組み立て模式図であって、第一空間内部の状態を示す。
【図５】本考案のさらに別の視角からの組み立て模式図であって、係止板とスタンドフレーム棒の相対位置を示す。
【図６】本考案のスタンドフレーム棒を収納折り畳み後の模式図である。
【図７】本考案のスタンドフレーム棒を垂直展開後の模式図である。
【考案を実施するための形態】
【００１３】
（一実施形態）
実施形態における各種の物件は説明に適した比率で表示するが、実際の比率に基づき表示するものではない。
【００１４】
図２〜図７に示す通り、本考案による折り畳み式物干しスタンドの固定装置は、ベース１０、物干し竿１１、スタンドフレーム棒１２、ヒンジ１３、移動ロックレバー１４、係止板１５を有する。
【００１５】
ベース１０は、相互に対応形状の２枚のパネルにより構成され、或いは連接してＵ型を呈して構成される。
ベース１０は、第一空間１６、及び相互に連通する第二空間１８を有する。
ヒンジ１３は、第一空間１６を貫通して設置し、物干し竿１１は、第一空間１６を貫通して設置し、ベース１０の頂端に位置する。
スタンドフレーム棒１２は、穿孔１７を有し、これによりヒンジ１３は穿孔１７を通過し、ベース１０に枢動するように設置され、第一空間１６内で枢動することができる。
しかも、第二空間１８は、槽状で、第一位置及び第二位置を備え、第一位置の高さはヒンジ１３より低く、第二位置の高さはヒンジ１３より高い。
本考案の実施形態中では、第二空間１８は概ね逆Ｌ型を呈し、即ち第一位置と第二位置は非直線設置を呈する。
【００１６】
係止板１５はベース１０側辺の最下端に固定して設置され、係止板１５の位置は、ヒンジ１３の位置より低く、係止板１５は、スタンドフレーム棒１２の枢動展開の角度を制限できる。
【００１７】
移動ロックレバー１４は、第二空間１８を横に跨いで設置され、第一位置と第二位置の間で調整移動できる。
本考案実施形態中では、移動ロックレバー１４の断面は円形である。
【００１８】
本考案の別種の実施形態中では、ベース１０、係止板１５、ヒンジ１３、移動ロックレバー１４の材質は、金属材質或いは非金属材質である。
【００１９】
スタンドフレーム棒１２が、物干し竿１１に相対して展開する時、移動ロックレバー１４は手動で調整し第一位置まで移動され、これにより移動ロックレバー１４と係止板１５とは、スタンドフレーム棒１２を係合して固定し不動とする。
移動ロックレバー１４を手動で第二位置へと調整すると、スタンドフレーム棒１２は物干し竿１１に相対して折り畳まれ、スタンドフレーム棒を収納することができる。
このように非常に便利に使用でき、従来の構造に内在していた欠点も解決されている。
【００２０】
前述した本考案の実施形態は本考案を限定するものではなく、本考案により保護される範囲は後述される実用新案登録請求の範囲を基準とする。
【符号の説明】
【００２１】
＜従来の構造＞
１０ａ  スタンドベース
１１ａ  物干し竿
１２ａ  スタンドフレーム棒
１３ａ  ヒンジ
１４ａ  重力ロック
１５ａ  係止板
＜本考案＞
１０  スタンドベース
１１  物干し竿
１２  スタンドフレーム棒
１３  ヒンジ
１４  移動ロックレバー
１５  係止板
１６  第一空間
１７  第一穿孔
１８  逆Ｌ型の第二空間
【図１】
0003227576.tif 000003
【図２】
0003227576.tif 000004
【図３】
0003227576.tif 000005
【図４】
0003227576.tif 000006
【図５】
0003227576.tif 000007
【図６】
0003227576.tif 000008
【図７】
0003227576.tif 000009